(57)【要約】【課題】粉粒体の漏れを少なく抑えることのできる粉粒体供給装置を提供する。【解決手段】収容領域３３ｂは、らせん状部材３２と固定板３４とが互いに向かい合った対向方向に沿って回転部材３３を貫通して形成されている。らせん状部材３２には、回転部材３３が、収容領域３３ｂと粉粒体を収容領域３３ｂに供給する流路とが連通した位置から、収容領域３３ｂと排出口３４ｂとが連通した位置に移動するときに、収容領域３３ｂに収容可能な量を超えた分の粉粒体についてのすりきりを行うすりきり部３２ｂが設けられている。【選択図】図３
2018184259.tif 000002
【特許請求の範囲】
【請求項１】
粉粒体を通過させる第１流路を区画する第１部材と、
粉粒体を通過させる第２流路が形成された第２部材と、
粉粒体を内部に収容するための収容領域を有し、前記第１部材と前記第２部材との間に配置され、前記収容領域と前記第１流路とが連通した第１位置と、前記収容領域と前記第２流路とが連通した第２位置と、を通って回転移動することが可能な回転部材とを備え、
前記収容領域は、前記第１部材と前記第２部材とが互いに向かい合った対向方向に沿って前記回転部材を貫通して形成され、
前記第１部材には、前記回転部材が前記第１位置から前記第２位置に移動するときに、前記収容領域に収容可能な量を超えた分の粉粒体についてのすりきりを行うすりきり部が設けられていることを特徴とする粉粒体供給装置。
【請求項２】
前記第１流路に、粉粒体が前記すりきり部に向かって供給されるように、全体が前記すりきり部に向かって傾斜した傾斜面が形成されていることを特徴とする請求項１に記載の粉粒体供給装置。
【請求項３】
前記傾斜面は、前記第１部材に形成されていることを特徴とする請求項２に記載の粉粒体供給装置。
【請求項４】
前記傾斜面の端部に前記すりきり部が形成されていることを特徴とする請求項２または３に記載の粉粒体供給装置。
【請求項５】
前記回転部材は、複数の前記収容領域を有していることを特徴とする請求項１から４のいずれか１項に記載の粉粒体供給装置。
【請求項６】
前記第１部材は、複数の前記収容領域のうち、前記すりきり部と前記第２流路との間の前記収容領域を覆って配置されることを特徴とする請求項５に記載の粉粒体供給装置。
【請求項７】
前記第２流路は、前記第２部材における、前記対向方向に沿った前記第１部材に対応した位置の内部に形成されていることを特徴とする請求項１から６のいずれか１項に記載の粉粒体供給装置。
【請求項８】
第１容器部を備え、
前記第１部材、前記第２部材及び前記回転部材が前記第１容器部の内部に配置され、
前記第１部材及び前記第２部材が前記第１容器部の内側に取り付けられ、
前記回転部材が、前記第１部材と前記第２部材との間に、回転移動することが可能に配置されていることを特徴とする請求項１から７のいずれか１項に記載の粉粒体供給装置。
【請求項９】
開口を有する第２容器部を備え、
前記第２容器部は、前記開口と前記第１流路とが連通するように、前記第１部材に接続され、
前記傾斜面は、前記第２容器部の内側に形成されていることを特徴とする請求項２に記載の粉粒体供給装置。
【請求項１０】
前記第１部材、前記回転部材及び前記第２容器部は、前記第２部材によって支持され、
前記第１部材は、前記第２部材との間に隙間が形成された状態で、前記第２部材に取り付けられ、
前記回転部材は、前記隙間を移動することによって、前記第１位置及び前記第２位置を通って回転移動することを特徴とする請求項９に記載の粉粒体供給装置。
【請求項１１】
所望する前記第２流路から落下する粉粒体の量に応じて、前記回転部材を交換することが可能であることを特徴とする請求項１から１０のいずれか１項に記載の粉粒体供給装置。
【請求項１２】
所望する前記第２流路から落下する粉粒体の落下位置に応じて、前記回転部材を交換することが可能であることを特徴とする請求項１から１１のいずれか１項に記載の粉粒体供給装置。
【請求項１３】
粉粒体の供給を行う供給部がロボットのハンド部として構成されていることを特徴とする請求項１から１２のいずれか１項に記載の粉粒体供給装置。
【発明の詳細な説明】
【技術分野】
【０００１】
本発明は、所定の位置に粉粒体を供給する粉粒体供給装置に関する。
【背景技術】
【０００２】
従来、粉粒体を所定量ごとに供給する粉粒体の供給装置が用いられている。このような粉粒体の供給装置として、特許文献１に開示されているものがある。特許文献１には、所定の領域に粉粒体を収容し、粉粒体を収容した部分を円筒内で回転移動させてすりきり部の下方を通過させることにより、粉粒体のすりきりを行う粉粒体の供給装置について開示されている。
【先行技術文献】
【特許文献】
【０００３】
【特許文献１】特開２０１２−６６８７号公報
【発明の概要】
【発明が解決しようとする課題】
【０００４】
しかしながら、特許文献１に開示された粉粒体の供給装置では、粉粒体を収容する部分が、回転体から半径方向外側に延びた羽根によって区画されている。また、粉粒体を収容する部分を区画する羽根の半径方向の外側の端部と、円筒の内側との間には、隙間が形成されている。羽根の半径方向の外側の端部と、円筒の内側との間に隙間が有るので、粉粒体を移動させる間に粉粒体が隙間から漏れる可能性がある。従って、すりきりを行ったとしても、粉粒体を収容した部分から粉粒体が漏れることにより収容された粉粒体の量が減少し、粉粒体の供給量が不足して粉粒体の定量供給を行うことができない可能性がある。
【０００５】
そこで、本発明は上記の事情に鑑み、粉粒体の漏れを少なく抑えることのできる粉粒体供給装置を提供することを目的としている。
【課題を解決するための手段】
【０００６】
本発明の粉粒体供給装置は、粉粒体を通過させる第１流路を区画する第１部材と、粉粒体を通過させる第２流路が形成された第２部材と、粉粒体を内部に収容するための収容領域を有し、前記第１部材と前記第２部材との間に配置され、前記収容領域と前記第１流路とが連通した第１位置と、前記収容領域と前記第２流路とが連通した第２位置と、を通って回転移動することが可能な回転部材とを備え、前記収容領域は、前記第１部材と前記第２部材とが互いに向かい合った対向方向に沿って前記回転部材を貫通して形成され、前記第１部材には、前記回転部材が前記第１位置から前記第２位置に移動するときに、前記収容領域に収容可能な量を超えた分の粉粒体についてのすりきりを行うすりきり部が設けられていることを特徴とする。
【０００７】
上記の粉粒体供給装置では、収容領域が、第１部材と第２部材とが互いに向かい合った対向方向に沿って回転部材を貫通して形成されているので、収容領域が回転部材を構成する部位によって外側を囲まれて形成されている。収容領域が囲まれているので、すりきりを行うために粉粒体を収容したまま移動させる際に収容領域からの粉粒体の漏れを少なくすることができる。従って、第２流路を通って供給される粉粒体について、精度良く定量供給を行うことができる。
【０００８】
また、前記第１流路に、粉粒体が前記すりきり部に向かって供給されるように、全体が前記すりきり部に向かって傾斜した傾斜面が形成されていてもよい。
【０００９】
第１流路に、全体がすりきり部に向かって傾斜した傾斜面が形成されているので、すりきり部に向けて効率的に粉粒体を供給することができる。すりきりを行う際には十分な粉粒体がすりきりを行う位置に供給されているので、すりきりの行われる際に粉粒体が不足していることによって粉粒体の定量供給を行うことができなくなることを抑えることができる。
【００１０】
また、前記傾斜面は、前記第１部材に形成されていてもよい。
【００１１】
第１部材に傾斜面が形成されるので、装置の構成が簡易になり、装置を小型化することができる。
【００１２】
また、前記傾斜面の端部に前記すりきり部が形成されていてもよい。
【００１３】
傾斜面の端部にすりきり部が形成されているので、傾斜面とすりきり部とを一体に構成することができ、装置の構成を簡易にすることができる。
【００１４】
また、前記回転部材は、複数の前記収容領域を有していてもよい。
【００１５】
また、前記第１部材は、複数の前記収容領域のうち、前記すりきり部と前記第２流路との間の前記収容領域を覆って配置されていてもよい。
【００１６】
第１の部材が、複数の収容領域のうちのすりきり部と前記第２流路との間の収容領域の開口部を覆って配置されているので、すりきりの行われた収容領域に粉粒体が入り込むことを抑えることができる。
【００１７】
また、前記第２流路は、前記第２部材における、前記対向方向に沿った前記第１部材に対応した位置の内部に形成されていてもよい。
【００１８】
第２流路が、第１の部材に対応した位置に配置されているので、すりきりの行われた粉粒体以外の粉粒体が第２流路に入り込むことを抑えることができる。
【００１９】
また、第１容器部を備え、前記第１部材、前記第２部材及び前記回転部材が前記第１容器部の内部に配置され、前記第１部材及び前記第２部材が前記第１容器部の内側に取り付けられ、前記回転部材が、前記第１部材と前記第２部材との間に、回転移動することが可能に配置されていてもよい。
【００２０】
前記第１部材、前記第２部材及び前記回転部材が前記第１容器部の内部に配置されているので、装置をコンパクトに収めることができる。従って、装置を小型化することができる。
【００２１】
また、開口部を有する第２容器部を備え、前記第２容器部は、前記開口部と前記第１流路とが連通するように、前記第１部材に接続され、前記傾斜面は、前記第２容器部の内側に形成されていてもよい。
【００２２】
傾斜面が、第２容器部の内側に形成されて、全体がすりきり部に向かって傾斜しているので、第２容器部の内部に収容された粉粒体がすりきり部に向けて効率的に供給される。
【００２３】
また、前記第１部材、前記回転部材及び前記第２容器部は、前記第２部材によって支持され、前記第１部材は、前記第２部材との間に隙間が形成された状態で、前記第２部材に取り付けられ、前記回転部材は、前記隙間を移動することによって、前記第１位置及び前記第２位置を通って回転移動してもよい。
【００２４】
回転部材が第１部材と第２部材との間の隙間に配置されて隙間内で移動するので、回転部材を隙間から取り出すことによって回転部材の交換を容易に行うことができる。
【００２５】
また、所望する前記第２流路から落下する粉粒体の量に応じて、前記回転部材を交換することが可能であってもよい。
【００２６】
回転部材を変えることで粉粒体の第２流路から落下する粉粒体の量を変えることができるので、供給する粉粒体の量を容易に調節することができる。
【００２７】
また、所望する前記第２流路から落下する粉粒体の落下位置に応じて、前記回転部材を交換することが可能であってもよい。
【００２８】
回転部材を変えることで第２流路から落下する粉粒体の落下位置を変えることができるので、供給する粉粒体の位置を容易に変えることができる。
【００２９】
粉粒体の供給を行う供給部がロボットのハンド部によって構成されていてもよい。
【００３０】
供給部がロボットのハンド部として構成されているので、粉粒体の供給を高精度に行うことができる。
【発明の効果】
【００３１】
本発明によれば、より精度の高い粉粒体の定量供給を行うことができ、粉粒体供給装置の品質を向上させることができる。
【図面の簡単な説明】
【００３２】
【図１】本発明の第１実施形態に係る粉粒体供給装置の斜視図である。
【図２】図１の粉粒体供給装置における、粉粒体供給装置本体部の正面図である。
【図３】図１の粉粒体供給装置における供給部について拡大して示した斜視図である。
【図４】（ａ）は図３の供給部におけるらせん状部材について上方から見た平面図であり、（ｂ）は回転部材について上方から見た平面図であり、（ｃ）は固定板について上方から見た平面図である。
【図５】図１の粉粒体供給装置の制御系統の構成について示したブロック図である。
【図６】図３の供給部において、回転部材が移動しているときのそれぞれの状態について示した、らせん状部材、回転部材及び固定板についての斜視図である。
【図７】本発明の第２実施形態に係る粉粒体供給装置における供給部について示した斜視図である。
【図８】図７の供給部についての構成を説明するために供給部を分解して示した斜視図である。
【図９】図７の供給部において、回転部材が移動しているときのそれぞれの状態について示した斜視図である。
【図１０】粉粒体の供給を変えるために交換の行われる、回転部材の収容領域についての形状の例について示した斜視図である。
【発明を実施するための形態】
【００３３】
以下、本発明の実施形態に係る粉粒体供給装置について、添付図面を参照して説明する。
【００３４】
（第１実施形態）
図１に、本発明の第１実施形態に係る粉粒体供給装置１についての斜視図を示す。粉粒体供給装置１は、粉粒体供給装置本体部１００と、ベルトコンベア６０とを備えている。
【００３５】
ベルトコンベア６０は、箱体５０を搬送している。ベルトコンベア６０は、箱体５０が、粉粒体供給装置本体部１００に対向する位置を通過するように配置されている。箱体５０は開口部が上方に向けて開口されている。
【００３６】
箱体５０の内部には、食品が収容されている。本実施形態では、米飯が箱体５０の内部に収容されている。また、本実施形態では、粉粒体としてゴマが用いられている。粉粒体供給装置１を用いて、箱体５０の内部に収容された米飯の上に、ゴマが定量でふりかけられている。しかしながら、本発明はこれに限定されない。粉粒体として他のものが用いられてもよい。例えば、コショウや粉末状に加工されたパセリ等、ゴマ以外の食品が本発明の粉粒体供給装置１を用いて供給の対象物に対して供給されてもよい。また、粉粒体供給装置１は、食品以外の粉粒体に対して用いられてもよい。粉粒体を供給の対象物に対して定量で供給するのであれば、食品以外の他の粉粒体が用いられてもよい。
【００３７】
次に、粉粒体供給装置本体部１００の構成について説明する。
【００３８】
図２に、本実施形態の粉粒体供給装置本体部１００についての正面図を示す。図２に示されるように、粉粒体供給装置本体部１００は、一対のロボットアーム１３を備える水平多関節型の双腕ロボットによって構成されている。
【００３９】
粉粒体供給装置本体部１００は、第１ロボットアーム１３Ａ及び第２ロボットアーム１３Ｂを備えている。第１ロボットアーム１３Ａの先端部には、第１保持部１８が設けられている。第２ロボットアーム１３Ｂの先端部には、第２保持部１９が設けられている。以下では、第１ロボットアーム１３Ａ及び第２ロボットアーム１３Ｂを区別しない場合は、単にロボットアーム１３ということがある。
【００４０】
粉粒体供給装置本体部１００は、制御部１４を備えている。また、粉粒体供給装置本体部１００は、真空発生装置（不図示）を備えていてもよい。
【００４１】
制御部１４は、例えば粉粒体供給装置本体部１００の支持台１２の内部に設けられている。しかし、これに限られるものではなく、例えばロボットアーム１３の内部等に設けられてもよい。また、他の空いたスペースに設けられてもよい。
【００４２】
第１ロボットアーム１３Ａは、第１保持部１８を所定の動作範囲内で移動させる。また、第２ロボットアーム１３Ｂは、第２保持部１９を所定の動作範囲内で移動させる。ロボットアーム１３は、例えば水平多関節型ロボットアームであって、アーム部２１と、リスト部２２とを含む。また、第１ロボットアーム１３Ａ及び第２ロボットアーム１３Ｂは、互いに独立して動作したり、互いに関連して動作したりすることができる。
【００４３】
第１保持部１８及び第２保持部１９は、それぞれ機能を有したハンド部を把持することが可能に構成されている。なお、本実施形態では、第１保持部１８はハンド部を把持せず、第２保持部１９がハンド部として後述する供給部３０を把持する。
【００４４】
粉粒体供給装置本体部１００は、支持台１２と、支持台１２から鉛直方向上方に延びた基軸１６とを備えている。基軸１６は、支持台１２に回転運動可能に取り付けられている。
【００４５】
基軸１６には、アーム部２１が水平方向に延在するように取り付けられている。アーム部２１は、基軸１６を中心に回転可能に取り付けられている。
【００４６】
アーム部２１は、第１リンク２１ａ及び第２リンク２１ｂを含む。第１リンク２１ａ及び第２リンク２１ｂは、相互に水平方向に沿って回転可能に支持されている。アーム部２１を介して、基軸１６に第１ロボットアーム１３Ａ及び第２ロボットアーム１３Ｂが接続されている。
【００４７】
アーム部２１は、第１ロボットアーム１３Ａ及び第２ロボットアーム１３Ｂの先端部に取り付けられたリスト部２２を、動作範囲内の任意の位置に位置決めする。
【００４８】
第１リンク２１ａは、基端部が支持台１２の基軸１６と回転関節Ｊ１により連結され、基軸１６の軸心を通る回転軸線Ｌ１まわりに回動可能である。第２リンク２１ｂは、第１リンク２１ａの先端部と回転関節Ｊ２により連結され、第１リンク２１ａの先端部に規定された回転軸線Ｌ２まわりに回動可能である。
【００４９】
リスト部２２は、その先に連なる機構を任意の姿勢に変更する。リスト部２２は、昇降部２２ａと、回動部２２ｂとを含む。昇降部２２ａは、第２リンク２１ｂの先端部と直動関節Ｊ３により連結され、第２リンク２１ｂに対し昇降移動可能である。回動部２２ｂは、昇降部２２ａの下端部と回転関節Ｊ４により連結され、昇降部２２ａの下端に規定された回転軸線Ｌ３まわりに回動可能である。
【００５０】
本実施形態において、回転軸線Ｌ１〜Ｌ３は、互いに平行であり、例えば鉛直方向に延在する。また、回転軸線Ｌ１〜Ｌ３の延在方向と、昇降部２２ａの昇降移動方向とは、互いに平行である。
【００５１】
アーム１３には、各関節Ｊ１〜Ｊ４に対応付けられるように、駆動用のサーボモータ（図示せず）、および、そのサーボモータの回転角を検出するエンコーダ（図示せず）等が設けられている。また、第１ロボットアーム１３Ａの回転軸線Ｌ１と第２ロボットアーム１３Ｂの回転軸線Ｌ１は同一直線上にあり、第１ロボットアーム１３Ａの第１リンク２１ａと、第２ロボットアーム１３Ｂの第１リンク２１ａとは上下に高低差を設けて配置されている。
【００５２】
次に、第２保持部１９が把持するハンド部について説明する。第２保持部１９は、ハンド部として、粉粒体を箱体５０の内部に供給する供給部３０を保持する。
【００５３】
図３に、供給部３０について拡大した斜視図を示す。図３では、説明のために、供給部３０における容器部３１について、透視して示されている。
【００５４】
供給部３０について説明する。供給部３０は、容器部（第１容器部）３１と、らせん状部材（第１部材）３２と、回転部材３３と、固定板（第２部材）３４とを有している。
【００５５】
容器部３１は、円筒状の円筒部３１ａと、鉛直方向下方に向かうにつれて径が狭められた円錐状の縮径部３１ｂと、鉛直方向下方に向かうにつれて径が拡大された円錐状の拡径部３１ｃとを有している。円筒部３１ａにおける一方の端部には、開口部３１ｄが形成されている。円筒部３１ａにおける他方の端部で、円筒部３１ａと縮径部３１ｂとが接続されている。
【００５６】
本実施形態では、粉粒体は、容器部３１における円筒部３１ａを通って、後述する収容領域３３ｂに供給される。従って、本実施形態では、容器部３１における円筒部３１ａが、収容領域３３ｂに向けて粉粒体を供給する流路（第１流路）として機能する。
【００５７】
縮径部３１ｂは、縮径部３１ｂにおける、円筒部３１ａと接続された一方の端部とは逆側の他方の端部で、拡径部３１ｃと接続されている。拡径部３１ｃは、拡径部３１ｃにおける、縮径部３１ｂと接続された一方の端部とは逆側の他方の端部に、開口部３１ｅが形成されている。
【００５８】
容器部３１における円筒部３１ａの内部には、らせん状部材３２と、回転部材３３と、固定板３４とが配置されている。
【００５９】
らせん状部材３２と固定板３４とは、円筒部３１ａの内側に固定的に取り付けられている。また、固定板３４上に回転部材３３が配置されている。そのため、回転部材３３は、らせん状部材３２と固定板３４との間で、回転可能に配置されている。
【００６０】
らせん状部材３２を鉛直方向上方から見た平面図を図４（ａ）に示す。らせん状部材３２は、容器部３１における円筒部３１ａの半径方向の中心Ｏから距離の異なる２つの曲面によって画成されて形成されている。円筒部３１ａの半径方向の中心Ｏから距離の異なる２つの曲面のうち、中心Ｏから遠い位置にある面は、ほぼ円筒部３１ａの内側の面の形状に沿って形成されている。また、中心Ｏから近い位置にある面は、ほぼ回転部材３３における収容領域の内側の面の形状に沿って形成されている。
【００６１】
らせん状部材３２における鉛直方向下側に形成された底面は、水平に延びている。らせん状部材３２における鉛直方向上側の面３２ａにおいては、周方向の一方の端部が底面と同じ高さの位置に形成され、周方向の一方の端部とは逆側の他方の端部が底面よりも高い位置に形成されている。従って、らせん状部材３２における鉛直方向上側の面３２ａは、周方向の一方の端部と他方の端部とが連続して、らせん状となるように形成されている。らせん状部材３２における鉛直方向上側の面３２ａの周方向の一方の端部は、底面と同じ高さに形成されて、すりきり部３２ｂとして機能する。また、らせん状部材３２における鉛直方向上側の面３２ａは、粉粒体を収容領域３３ｂに向けて供給し粉粒体を通過させる流路（第１流路）を区画している。
【００６２】
回転部材３３を鉛直方向上方から見た平面図を図４（ｂ）に示す。
【００６３】
回転部材３３は、らせん状部材３２と固定板３４との間に配置されている。回転部材３３は、内側に収容領域３３ｂを備えている。回転部材３３は、円筒部３３ａと円筒部３３ａの内部で複数の収容領域３３ｂ同士の間を区画する区画部３３ｃとを有している。また、回転部材３３の内側には、シャフト３３ｄに係合されてシャフト３３ｄに取り付けられた係合部３３ｅが形成されている。係合部３３ｅがシャフト３３ｄと係合することにより、回転部材３３とシャフト３３ｄとが接続されている。
【００６４】
収容領域３３ｂは、粉粒体を内部に収容するために形成されている。下側の開口部を固定板３４が塞いだ状態で、上側の開口部から粉粒体を供給することにより、収容領域３３ｂの内部に粉粒体を収容することができる。
【００６５】
シャフト３３ｄの上方には、モータ３５が取り付けられている。モータ３５を駆動させることにより、シャフト３３ｄを回転させることができる。シャフト３３ｄは、回転部材３３に接続されているので、シャフト３３ｄの回転に伴い、回転部材３３を回転させることができる。
【００６６】
収容領域３３ｂは、回転部材３３に複数形成されている。本実施形態では、収容領域３３ｂは、８つ形成されている。収容領域３３ｂは、らせん状部材３２と固定板３４とが互いに向かい合った対向方向に沿って、回転部材３３を貫通して形成されている。回転部材３３においては、鉛直方向に沿って収容領域３３ｂを覆うものはなく、収容領域３３ｂは鉛直方向の上方及び下方に開放されている。従って、鉛直方向の上方から収容領域３３ｂに入り込んだ粉粒体は、回転部材３３の下方に収容領域３３ｂを塞ぐ構成がなければ、そのまま鉛直方向下方に落下する。また、収容領域３３ｂが、らせん状部材３２と固定板３４とが互いに向かい合った対向方向に沿って回転部材３３を貫通して形成されているので、収容領域３３ｂが回転部材３３を構成する部位によって外側を囲まれて形成されている。本実施形態では、回転部材３３における回転軸の軸方向に垂直な面に沿った断面において、収容領域３３ｂが、円筒部３３ａと区画部３３ｃとによって囲まれて形成されている。すなわち、回転部材３３における回転軸の軸方向に垂直な面に沿った断面において、収容領域３３ｂが外側を囲まれて形成されている。
【００６７】
固定板３４を鉛直方向上方から見た平面図を図４（ｃ）に示す。
【００６８】
固定板３４は、容器部３１の内側に取り付けられている。固定板３４は、回転部材３３の下方に配置され、回転部材３３における８つの収容領域３３ｂのうち、７つの収容領域３３ｂについて下側の開口部を塞ぐように配置されている。
【００６９】
８つの収容領域３３ｂのうち、１つの収容領域３３ｂに対応する排出領域３４ａにのみ、固定板３４を鉛直方向に貫通するように、排出口（第２流路）３４ｂが形成されている。排出領域３４ａには、多数の排出口３４ｂが形成されている。排出口３４ｂは、固定板３４を鉛直方向に貫通するように形成されているので、排出領域３４ａが収容領域３３ｂの下方に配置されると、収容領域３３ｂの内部に収容された粉粒体は、排出口３４ｂを通って、排出口３４ｂの下方に供給され、縮径部３１ｂ、拡径部３１ｃを通って開口部３１ｅから外部に排出される。
【００７０】
固定板３４における排出領域３４ａ以外の部分については、排出口３４ｂは形成されていない。そのため、固定板３４における排出領域３４ａ以外の部分が収容領域３３ｂの下側の開口部を覆ったときには、収容領域３３ｂの下側の開口部が塞がれ、収容領域３３ｂ内部に粉粒体を収容することができる。また、固定板３４における排出領域３４ａ以外の部分が収容領域３３ｂの下側の開口部を覆った状態で回転部材３３が移動することにより、粉粒体を移動させることができる。粉粒体を収容領域３３ｂの内部に収容したまま、内部の粉粒体ごと回転部材３３が移動することにより、粉粒体を移動させることができる。
【００７１】
本実施形態では、容器部３１における円筒部３１ａの内部を通って、粉粒体が収容領域３３ｂに収容される。円筒部３１ａにおける収容領域３３ｂまでの流路が、粉粒体を収容領域３３ｂに供給する流路（第１流路）として機能する。
【００７２】
回転部材３３は、収容領域３３ｂと粉粒体を収容領域３３ｂに供給する流路とが連通した位置（第１位置）と、収容領域３３ｂと排出口３４ｂとが連通した位置（第２位置）と、を通って回転移動することが可能に構成されている。
【００７３】
らせん状部材３２には、回転部材３３が、収容領域３３ｂと粉粒体を収容領域３３ｂに供給する流路とが連通した位置から、収容領域３３ｂと排出口３４ｂとが連通した位置に移動するときに、収容領域３３ｂに収容可能な量を超えた分の粉粒体についてのすりきりを行うすりきり部３２ｂが設けられている。収容領域３３ｂに収容された粉粒体は、回転部材３３の回転移動により、すりきり部３２ｂの直下の位置を通過するごとに、すりきりが行われる。本実施形態では、複数の収容領域３３ｂが回転部材３３における周方向の全体に形成されているので、それぞれの収容領域３３ｂがすりきり部３２ｂの直下の位置を通過するごとに収容領域３３ｂ内部に収容された粉粒体についてのすりきりが行われる。
【００７４】
らせん状部材３２には、粉粒体を収容領域３３ｂに供給する流路で、粉粒体がすりきり部３２ｂに向かって供給されるように、全体がすりきり部３２ｂに向かって傾斜した傾斜面が形成されている。本実施形態では、らせん状部材３２における鉛直方向上側の面３２ａが、粉粒体をすりきり部３２ｂに向けて供給するように、全体がすりきり部３２ｂに向かって傾斜した傾斜面として機能している。また、らせん状部材３２における鉛直方向上側の面３２ａの端部にすりきり部３２ｂが形成されている。
【００７５】
らせん状部材３２は、回転部材３３における複数の収容領域３３ｂのうち、周方向に沿って、すりきり部３２ｂと排出口３４ｂとの間の収容領域３３ｂを覆って配置されている。排出口３４ｂは、固定板３４における、らせん状部材３２と固定板３４とが互いに向かい合った対向方向に沿った、らせん状部材３２に対応した位置の内部に形成されている。
【００７６】
次に、粉粒体供給装置本体部１００の動作を制御する制御部１４について説明する。図６は、粉粒体供給装置本体部１００の制御系統の構成例を概略的に示すブロック図である。
【００７７】
図６に示されるように、制御部１４は、演算部１４ａと、記憶部１４ｂと、サーボ制御部１４ｃと、供給部制御部１４ｄとを含む。
【００７８】
制御部１４は、例えばマイクロコントローラ等のコンピュータを備えたロボットコントローラである。なお、制御部１４は、集中制御する単独の制御部１４によって構成されていてもよいし、互いに協働して分散制御する複数の制御部１４によって構成されていてもよい。
【００７９】
記憶部１４ｂには、ロボットコントローラとしての基本プログラム、各種固定データ等の情報が記憶されている。演算部１４ａは、記憶部１４ｂに記憶された基本プログラム等のソフトウェアを読み出して実行することにより、粉粒体供給装置本体部１００の各種動作を制御する。すなわち、演算部１４ａは、粉粒体供給装置本体部１００の制御指令を生成し、これをサーボ制御部１４ｃ及び供給部制御部１４ｄに出力する。
【００８０】
サーボ制御部１４ｃは、演算部１４ａにより生成された制御指令に基づいて、粉粒体供給装置本体部１００の第１ロボットアーム１３Ａ及び第２ロボットアーム１３Ｂのそれぞれの関節Ｊ１〜Ｊ４に対応するサーボモータの駆動を制御するように構成されている。
【００８１】
供給部制御部１４ｄは、演算部１４ａにより生成された制御指令に基づいて駆動部を制御することによって、供給部３０による移動及び動作を制御する。
【００８２】
以上のように構成された粉粒体供給装置１によって、箱体５０の開口部に向けて粉粒体を供給する際の動作について説明する。
【００８３】
箱体５０に粉粒体を供給する際には、箱体５０へ供給する粉粒体が、容器部３１内部に供給される。本実施形態では、容器部３１における開口部３１ｄを通して容器部３１内部に粉粒体が供給される。
【００８４】
図６（ａ）〜（ｃ）に、容器部３１の内部に粉粒体が供給されながら、回転部材３３が回転移動していく過程について示す。図６（ａ）〜（ｃ）には、回転部材３３がＤ１方向に回転していくにつれて収容領域３３ｂが回転移動していく状態について示したそれぞれの状態についての斜視図である。
【００８５】
図６（ａ）〜（ｃ）では、８つの収容領域３３ｂのうち、１つの収容領域３３ｂについて着目して説明する。着目する収容領域３３ｂについては、斜線を入れて示している。容器部３１に粉粒体が供給されると、容器部３１の内部に供給された粉粒体は、一部が収容領域３３ｂの内部に収容され、その他はらせん状部材３２上に供給される。
【００８６】
らせん状部材３２における鉛直方向上側の面３２ａ上を粉粒体が滑りながら移動しつつ、収容領域３３ｂの内部にも粉粒体が供給されている状態について図６（ａ）に示されている。
【００８７】
らせん状部材３２上に供給された粉粒体は、らせん状部材３２における鉛直方向上側の面３２ａ上を滑って、面３２ａに沿って重力に従い落下する。らせん状部材３２における鉛直方向上側の面３２ａの周方向の一方の端部のすりきり部３２ｂに到達した粉粒体は、らせん状部材３２から収容領域３３ｂの内部に落下する。従って、らせん状部材３２上に落下した粉粒体については、らせん状部材３２における傾斜面としての面３２ａを利用して、粉粒体を効率良く収容領域３３ｂの内部に導くことができる。
【００８８】
従って、容器部３１の内部に供給された粉粒体は、収容領域３３ｂに向けて供給される。このとき、収容領域３３ｂの下方には、固定板３４が配置されている。そのため、固定板３４が回転部材３３における収容領域３３ｂの底面を構成し、収容領域３３ｂから粉粒体が落下しないように収容領域３３ｂの下側の開口部を固定板３４が塞いでいる。これにより、収容領域３３ｂに収容された粉粒体はそのまま落下せずに、固定板３４の上に積もり、収容領域３３ｂの内部に収容される。
【００８９】
回転部材３３は、粉粒体が容器部３１の内部に供給されながら回転している。このとき、回転部材３３とシャフト３３ｄとが接続されているので、モータ３５の回転駆動によってシャフト３３ｄが回転し、シャフト３３ｄの回転に伴い回転部材３３が回転している。このように、シャフト３３ｄを介してモータ３５からの回転駆動が回転部材３３に伝達されて、回転部材３３が回転移動している。
【００９０】
回転部材３３の回転移動に伴い、収容領域３３ｂは回転移動する。収容領域３３ｂが回転移動し、らせん状部材３２におけるすりきり部３２ｂの直下の位置に配置された状態について図６（ｂ）に示す。
【００９１】
回転部材３３がＤ１方向に回転移動し、収容領域３３ｂがらせん状部材３２の下方の位置に移動すると、収容領域３３ｂは、すりきり部３２ｂの位置を通過する。
【００９２】
収容領域３３ｂの内部には、粉粒体が供給され続けるので、すりきり部３２ｂに到達する際には収容領域３３ｂの収容可能な量を超えて供給されている。従って、収容領域３３ｂには、粉粒体が収容領域３３ｂの上側の開口部を超えて高く盛られている。
【００９３】
収容領域３３ｂの上側の開口部を超えて粉粒体が盛られた状態で、収容領域３３ｂがすりきり部３２ｂの直下の位置を通過する。このとき、すりきり部３２ｂを超えて、すりきり部３２ｂよりも高く盛られている粉粒体については、すりきり部３２ｂによってすりきられ、収容領域３３ｂから押し出されて排除される。
【００９４】
そこからさらに回転部材３３がＤ１方向に向かって回転移動すると、収容領域３３ｂがすりきり部３２ｂの位置を超えてらせん状部材３２の直下の位置に配置される。これによって、収容領域３３ｂの内部に収容された全ての粉粒体についてすりきられ、収容領域３３ｂには、収容領域３３ｂの容量によって定められた定量の粉粒体が収容された状態になる。
【００９５】
さらに回転部材３３が回転移動し、収容領域３３ｂが、固定板３４における排出領域３４ａに対応した位置に到達すると、収容領域３３ｂが排出口３４ｂに連通し、粉粒体が排出口３４ｂから排出される。
【００９６】
図６（ｃ）に、収容領域３３ｂが固定板３４における排出領域３４ａに対応した位置に配置された状態について示す。
【００９７】
このとき、収容領域３３ｂには、すりきり部３２ｂによってすりきられて定量の粉粒体が収容されている。従って、排出口３４ｂからは定量の粉粒体が排出される。これにより、排出口３４ｂを通して粉粒体の定量供給を行うことができる。
【００９８】
排出口３４ｂを通った粉粒体は、容器部３１における縮径部３１ｂ、拡径部３１ｃを通って開口部３１ｅから排出される。開口部３１ｅから定量で排出された粉粒体は、ベルトコンベア６０上を搬送される箱体５０の内部に供給される。これにより、箱体５０の内部に向けて定量の粉粒体が供給される。
【００９９】
本実施形態によれば、収容領域３３ｂが外側を囲まれて形成されているので、すりきりを行うために収容領域３３ｂが粉粒体を収容したまま移動させる際に、収容領域３３ｂからの粉粒体の漏れを少なくすることができる。従って、排出口３４ｂを通って供給される粉粒体について、収容領域３３ｂの容量によって定められた定量の粉粒体が排出される。これにより、排出口３４ｂを介した粉粒体の供給を定量で行うことができ、精度良く粉粒体の定量供給を行うことができる。
【０１００】
また、本実施形態によれば、らせん状部材３２における鉛直方向上側の面３２ａの全体が、すりきり部３２ｂに向けて傾斜している。従って、容器部３１の内部に供給された粉粒体は、すりきり部３２ｂに向けて面３２ａ上を滑って移動する。従って、らせん状部材３２上に供給される粉粒体が、すりきり部３２ｂに向けて移動する。これにより、粉粒体をすりきり部３２ｂに向けて効率的に供給することができる。
【０１０１】
すりきり部３２ｂによってすりきりを行う際には、粉粒体は、収容領域３３ｂの内部で、すりきり部３２ｂの高さを超えた位置まで盛られていることが望ましい。粉粒体がすりきり部３２ｂの高さを超えた位置まで盛られていれば、すりきり部３２ｂによってすりきりが行われると、収容領域３３ｂの内部には定量の粉粒体が収容されている状態になる。従って、すりきり部３２ｂによるすりきりを行うことにより、収容領域３３ｂに定量の粉粒体が収容され、排出口３４ｂからは定量の粉粒体が供給されることになる。従って、粉粒体の定量供給を確実に行うことができる。
【０１０２】
すりきり部３２ｂによるすりきりを行う際に収容領域３３ｂの内部に収容されている粉粒体が不足している場合には、すりきりが行われるときに、収容領域３３ｂの内部には容量の一部しか粉粒体が収容されない。そのため、この状態で収容領域３３ｂの内部の粉粒体についてすりきりを行ったとしても、収容領域３３ｂで粉粒体が不足したままで、粉粒体の定量供給を行うことができない可能性がある。粉粒体が複数の収容領域に向けて一様に供給されると、複数の収容領域にまんべんなく粉粒体が供給され、すりきりの行われる収容領域で粉粒体が不足する可能性がある。
【０１０３】
本実施形態では、らせん状部材３２における鉛直方向上側の面３２ａが、すりきり部３２ｂに向けて傾斜している。容器部３１に供給された粉粒体がすりきり部３２ｂに向けて供給されるので、すりきり部３２ｂによるすりきりを行う際には、すりきりの行われない収容領域３３ｂで粉粒体が不足していたとしても、すりきりの行われる収容領域３３ｂで、すりきり部３２ｂの高さを超えて粉粒体が盛られている状態になっている可能性が高い。従って、すりきりを行うことによって粉粒体の定量供給をより確実に行うことができる。
【０１０４】
また、本実施形態では、らせん状部材３２における鉛直方向上側の面３２ａの全体が、すりきり部３２ｂに向けて傾斜している。従って、容器部３１から収容領域３３ｂに向けて供給される粉粒体の全てが、すりきりの行われる前の収容領域３３ｂに向けて無駄なく供給される。従って、すりきり部３２ｂですりきりを効率的に行うことができる。
【０１０５】
また、本実施形態では、らせん状部材３２における周方向の端部にすりきり部３２ｂが設けられているので、すりきりを行う位置に粉粒体を供給するための傾斜面としての面３２ａと、すりきり部３２ｂとが一体的に形成されている。すりきりを行う位置に粉粒体を供給するための傾斜面とすりきり部３２ｂとが１つの部材によって構成されているので、粉粒体の定量供給を行うための供給部３０の構成が簡易になる。従って、供給部３０を小型化することができる。
【０１０６】
供給部３０の構成を小型化することができるので、ロボットのハンド部として適した構成とすることができる。また、供給部３０の構成を簡易にすることができるので、供給部３０の製造コストを少なく抑えることができる。
【０１０７】
また、本実施形態では、容器部３１の内部に、らせん状部材３２と、回転部材３３と、固定板３４とが収容された構成となっている。従って、定量供給を行うための構成が容器部３１の内部に収容されている。従って、供給部３０の構成をコンパクトに収めることができる。これにより、供給部３０をより小型化することができる。
【０１０８】
また、らせん状部材３２は、複数の収容領域３３ｂのうち、すりきり部３２ｂと排出口３４ｂとの間に位置する収容領域３３ｂの開口部を覆って配置されている。らせん状部材３２が、すりきり部３２ｂと排出口３４ｂとの間に位置する収容領域３３ｂの開口部を覆うように配置されているので、すりきりの行われた後の収容領域３３ｂに粉粒体が入り込むことを抑えることができる。従って、すりきりが行われて定量の粉粒体が収容された収容領域３３ｂに別の粉粒体が入り込み、収容領域３３ｂに収容された粉粒体の量が定められた量とは異なる量になることを抑えることができる。従って、収容領域３３ｂに収容された粉粒体が定量に維持され、箱体５０への粉粒体の供給において、粉粒体の定量供給を確実に行うことができる。
【０１０９】
また、排出口３４ｂは、固定板３４における、らせん状部材３２と固定板３４とが対向した対向方向に沿って、らせん状部材３２に対応した位置の内部に形成されている。つまり、排出口３４ｂは、らせん状部材３２の直下の領域の内部に配置されている。排出口３４ｂが、らせん状部材３２に対応した位置に配置されているので、排出口３４ｂの上部がらせん状部材３２によって覆われ、すりきりの行われた粉粒体以外の粉粒体が排出口３４ｂに入り込むことを抑えることができる。従って、排出口３４ｂからの粉粒体の排出において、定量の粉粒体の排出をより確実に行うことができる。
【０１１０】
なお、本実施形態では、粉粒体供給装置本体部１００における第１保持部１８は、エンドエフェクタとしてハンド部を保持せず、粉粒体の供給に関与しない形態について説明した。しかしながら、本発明はこれに限定されず、第１保持部１８は、エンドエフェクタを保持してもよい。例えば、第１保持部１８は、ベルトコンベア６０に沿って搬送されてくる箱体５０を、供給部３０の直下の位置に移動させて配置するように、搬送されてくる箱体５０の搬送をガイドするガイド部を保持してもよい。また、他の構成のエンドエフェクタを保持してもよい。 
【０１１１】
（第２実施形態）
次に、本発明の第２実施形態に係る粉粒体供給装置について説明する。なお、上記第１実施形態と同様に構成される部分については説明を省略し、異なる部分についてのみ説明する。
【０１１２】
第２実施形態では、第２保持部１９が、供給部４０を備えている。図７に、第２実施形態に係る粉粒体供給装置における供給部４０の周辺について示した斜視図を示す。また、図８に、供給部３０の容器部４１、すりきり体４２、回転部材４３、接続部４４について分解した分解斜視図を示す。
【０１１３】
第２実施形態の供給部４０は、容器部（第２容器部）４１と、すりきりを行うすりきり部（第１部材）４２と、すりきりを行いながら粉粒体を排出口に移動させるために粉粒体を収容領域の内部に収容したまま回転移動する回転部材４３と、第２保持部１９と回転部材４３との間を接続する接続部（第２部材）４４とを備えている。
【０１１４】
第２保持部１９は、接続部４４を保持している。接続部４４は、第２保持部１９から前方に向けて突出するように、第２保持部１９に取り付けられている。
【０１１５】
接続部４４上には、容器部４１、すりきり体４２、回転部材４３が配置されている。接続部４４が、容器部４１、すりきり体４２、回転部材４３を支持するように、容器部４１、すりきり体４２、回転部材４３が、接続部４４上に取り付けられている。
【０１１６】
容器部４１は、空間４１ｃを有し、空間４１ｃの内部に粉粒体を供給することが可能に構成されている。容器部４１は、円筒状に形成された円筒部４１ａと、すりきり体４２に近接した位置で円錐状に形成された円錐部４１ｂとを有している。円錐部４１ｂは、下方の先端部ですりきり体４２に接続される。円錐部４１ｂは、先端部に開口を有している。容器部４１は、開口と粉粒体の流路とが連通するように、すりきり体４２に接続されている。
【０１１７】
すりきり体４２は、平板状の板部４２ａと、円筒状の円筒部４２ｂとを有している。板部４２ａは、接続部４４に固定的に取り付けられている。これにより、すりきり体４２が接続部４４に固定的に取り付けられている。
【０１１８】
円筒部４２ｂは、板部４２ａに接続されている。板部４２ａには、厚さ方向に自身を貫通するように、貫通口が形成されている。貫通口の周囲を取り囲む位置で、円筒部４２ｂと板部４２ａとが接続されている。また、円筒部４２ｂの内側の壁面が、貫通口を取り囲む板部４２ａの側面に連続するように、円筒部４２ｂと板部４２ａとが接続されている。円筒部４２ｂの内側の壁面と板部４２ａにおける貫通口とが、すりきり体４２を貫通するように形成され、粉粒体を通過させる流路（第１流路）として機能する。この流路を通って、容器部４１からすりきり体４２を通って回転部材４３の収容領域４３ａに粉粒体を供給する。容器部４１の内部の空間がすりきり体４２の円筒部４２ｂの内側の壁面と板部４２ａにおける貫通口とに連通するように、容器部４１とすりきり体４２とが接続されている。容器部４１は、内部の空間が収容領域４３ａに粉粒体を通過させる流路に連通するようにすりきり体４２に接続されているので、容器部４１の内部の空間に粉粒体を投入することにより、流路に連続的に粉粒体を供給することができる。
【０１１９】
すりきり体４２と接続部４４との間には隙間が形成され、その隙間に回転部材４３が位置することが可能なように、回転部材４３、接続部４４、すりきり体４２が構成されている。そのため、すりきり体４２と接続部４４との間に隙間ができる位置に、すりきり体４２が取り付けられている。本実施形態では、すりきり体４２と接続部４４との間に柱状部材４２ｄが挟まれた状態で、すりきり体４２が接続部４４に取り付けられている。
【０１２０】
回転部材４３は、すりきり体４２と接続部４４との間に配置されている。回転部材４３には、すりきり部と接続部４４とが互いに向かい合った対向方向に沿って自身を貫通し粉粒体を内部に収容可能な収容領域４３ａが形成されている。収容領域４３ａは、すりきり体４２と接続部４４とが互いに向かい合った対向方向に沿って、回転部材４３を貫通して形成されている。本実施形態では、回転部材４３に、６つの収容領域４３ａが形成されている。また、回転部材４３は、すりきり体４２と接続部４４との間で、接続部４４の面上で水平方向に沿って回転移動可能に構成されている。回転部材４３がすりきり体４２と接続部４４との間の隙間に配置されて隙間内で回転移動するので、回転部材４３を隙間から取り出すことによって回転部材４３の交換を容易に行うことができる。
【０１２１】
また、収容領域４３ａが、すりきり体４２と接続部４４とが互いに向かい合った対向方向に沿って回転部材４３を貫通して形成されているので、収容領域４３ａが回転部材４３を構成する部位によって外側を囲まれて形成されている。回転部材４３において、回転部材４３の回転軸の軸方向に垂直な面に沿った断面で、収容領域４３ａが外側を囲まれて形成されている。
【０１２２】
回転部材４３は、Ｄ２方向に回転移動することにより、収容領域４３ａとすりきり体４２における貫通口とが連通した位置（第１位置）と、収容領域４３ａと排出口４４ａとが連通した位置（第２位置）との両方を通って一方向に連続して回転移動可能に構成されている。
【０１２３】
接続部４４には、自身を貫通するように、貫通口としての排出口（第２流路）４４ａが形成されている。排出口４４ａは、粉粒体を通過させることが可能なように形成されている。
【０１２４】
すりきり体４２は、回転部材４３が、収容領域４３ａとすりきり体４２における貫通口とが連通した位置から、収容領域４３ａと排出口４４ａとが連通した位置に移動するときに、収容領域４３ａに収容可能な量を超えた分の粉粒体についてのすりきりを行う。本実施形態では、すりきり体４２における粉粒体の流路を画成する板部４２ａの内側の壁面がすりきりを行うすりきり部として機能する。容器部４１から収容領域４３ａに向かう粉粒体の流路には、粉粒体がすりきり部に向かって供給されるように、全体がすりきり部に向かって傾斜した傾斜面が形成されている。本実施形態では、容器部４１における円錐部４１ｂの内側の壁面が、すりきり部に向かって傾斜した傾斜面として構成されている。このように、本実施形態では、傾斜面は、容器部４１の内側に形成されている。
【０１２５】
接続部４４における、すりきり体４２、回転部材４３、容器部４１が取り付けられている側とは逆側位置には、駆動部４５が配置されている。駆動部４５は、回転部材４３に接続されている。駆動部４５を駆動させることにより、回転部材４３がＤ２方向に沿って回転移動する。
【０１２６】
このように構成された供給部４０によって箱体５０の内部に粉粒体を供給する際には、まず、容器部４１の内部に粉粒体が供給される。容器部４１の内部に粉粒体が供給されると、粉粒体が重力によって落下し、すりきり体４２における円筒部４２ｂ、板部４２ａの貫通口を介して、回転部材４３における板部４３ｂに形成された収容領域４３ａの内部に粉粒体が供給される。
【０１２７】
粉粒体が供給されることで、収容領域４３ａの上側の開口部の全体に亘って収容領域４３ａから粉粒体があふれ、収容領域４３ａの上側の開口部よりも高い位置に粉粒体が盛られている状態になると、収容領域４３ａ内部の粉粒体について、すりきりを行うことが可能となる。
【０１２８】
収容領域４３ａ内部の粉粒体について、すりきりを行う際には、収容領域４３ａの内部に粉粒体が充填された状態で回転部材４３をＤ２方向に移動させる。回転部材４３を移動させる際には、駆動部４５を駆動させることにより、回転部材４３を回転移動させる。
【０１２９】
図９（ａ）〜（ｃ）に、収容領域４３ａに粉粒体を充填させ、回転部材４３を移動させて、収容領域４３ａに収容された粉粒体を排出口４４ａから排出する際のそれぞれの状態についての斜視図を示す。図９（ａ）〜（ｃ）についても、６つの収容領域４３ａのうち、１つの収容領域４３ａについて着目して説明する。着目している収容領域４３ａは、斜線を入れて示されている。
【０１３０】
図９（ａ）には、着目している収容領域４３ａが容器部４１に連通した位置（第１位置）に配置され、収容領域４３ａの内部に粉粒体が供給されている状態について示されている。
【０１３１】
容器部４１における円錐部４１ｂの下方の先端部がすりきり体４２の円筒部４２ｂに接続されているので、容器部４１に供給された粉粒体は、すりきり体４２に向かって落下するように下方に移動する。容器部４１におけるすりきり体４２に接続される部分は円錐状に形成された円錐部４１ｂなので、容器部４１の内側の壁面は、下方に向かうにつれて径が狭められて形成されている。従って、容器部４１に収容された粉粒体が収容領域４３ａに向けて供給される際には、粉粒体は、すりきり体４２におけるすりきりの行われるすりきり部に向けて供給される。つまり、容器部４１に収容された粉粒体が、すりきり体４２におけるすりきりを行うすりきり部に向かって移動する。
【０１３２】
すりきり体４２におけるすりきりを行う部分に向かって移動する粉粒体は、すりきり体４２を通過すると、収容領域４３ａの内部に収容される。これにより、収容領域４３ａの内部に粉粒体が充填される。
【０１３３】
粉粒体が収容領域４３ａに充填されると、回転部材４３がＤ２方向に回転移動し、収容領域４３ａが回転移動する。収容領域４３ａの内部に粉粒体が充填された状態で、収容領域４３ａが移動することにより、収容領域４３ａが粉粒体を収容領域４３ａの内部に保持した状態で、すりきり体４２の下方の位置を通過する。
【０１３４】
このとき、すりきり体４２における円筒部４２ｂ及び板部４２ａの貫通口によって収容領域４３ａの内部に充填されている粉粒体についてのすりきりが行われる。収容領域４３ａの内部で粉粒体が収容領域４３ａの上側の開口部よりも高く盛られた状態で収容され、回転部材４３が回転移動することにより、収容領域４３ａがすりきり体４２の下方の位置を通過する。
【０１３５】
このとき、粉粒体における収容領域４３ａの上側の開口部よりも高く盛られた部分がすりきり体４２の内側の壁面によって押し出され、収容領域４３ａから排除される。従って、収容領域４３ａがすりきり体４２の下方の位置を通過したときには、収容領域４３ａには、収容領域４３ａの容量によって定められた定量の粉粒体が充填されている状態になる。これにより、収容領域４３ａ内部に収容された粉粒体についてのすりきりが行われる。
【０１３６】
収容領域４３ａがすりきり体４２の下方の位置を通過すると、収容領域４３ａに定量の粉粒体が充填された状態で回転部材４３の回転移動に伴って収容領域４３ａが移動する。
【０１３７】
図９（ｂ）に、すりきりが行われることによって定量の粉粒体が充填された収容領域４３ａが、すりきり体４２と、排出口４４ａとの間の位置に配置されている状態についての斜視図を示す。
【０１３８】
図９（ｂ）に示される状態から定量の粉粒体を収容した収容領域４３ａがさらに移動することにより、収容領域４３ａが排出口４４ａの上方の位置に到達する。
【０１３９】
図９（ｃ）に、定量の粉粒体を収容した収容領域４３ａが、排出口４４ａの上方の位置に到達した状態についての斜視図を示す。定量の粉粒体を収容した収容領域４３ａが排出口４４ａの上方の位置に到達すると、収容領域４３ａの内部の空間と、排出口４４ａ内部の空間とが連通した状態になる（第２位置）。従って、収容領域４３ａに収容された粉粒体が、排出口４４ａを通って、排出口４４ａの下方に落下する。定量の粉粒体を収容した収容領域４３ａの内部に収容された粉粒体が、排出口４４ａから排出されるので、定量の粉粒体について排出口４４ａから排出される。これにより、排出口４４ａから定量の粉粒体について供給され、排出口４４ａを通して粉粒体の定量供給を行うことができる。
【０１４０】
このように、すりきり体４２は、回転部材４３が、収容領域４３ａが容器部４１に連通した位置から収容領域４３ａが排出口４４ａに連通した位置に移動するときに、収容領域４３ａに収容可能な量を超えた分の粉粒体についてのすりきりを行う。
【０１４１】
本実施形態によれば、収容領域４３ａが外側を囲まれて形成されているので、すりきりを行うために粉粒体を収容したまま移動させる際に、粉粒体の漏れを少なくすることができる。従って、排出口４４ａを通って供給される粉粒体について、精度良く粉粒体の定量供給を行うことができる。
【０１４２】
また、本実施形態によれば、容器部４１の内側の壁面が、円錐部４１ｂですりきり体４２におけるすりきりの行われるすりきり部に向かって傾斜しているので、容器部４１の内部に収容された粉粒体は、すりきり体４２におけるすりきりの行われるすりきり部に向かって充填される。従って、複数の収容領域４３ａのうち、すりきりの行われる収容領域４３ａに向かって効率的に粉粒体が供給される。
【０１４３】
容器部４１に収容された粉粒体がすりきりの行われる収容領域４３ａに向かって効率的に供給されるので、すりきり体４２によってすりきりが行われる際には、粉粒体は収容領域４３ａの内部に十分に充填されている。
【０１４４】
すりきり体４２によってすりきりを行う際には、粉粒体は、収容領域４３ａの内部で、すりきり体４２におけるすりきりを行う面の高さを超えた位置まで盛られていることが望ましい。粉粒体がすりきり体４２におけるすりきりを行う面の高さを超えた位置まで盛られていれば、すりきり体４２によってすりきりが行われると、収容領域４３ａの内部には定量の粉粒体が収容されている状態になる。従って、すりきり体４２によるすりきりを行う際には、収容領域４３ａの内部には十分な量の粉粒体が収容されていることが望ましい。こうすることにより、すりきりを行うことで粉粒体の定量供給をより確実に行うことができる。本実施形態では、容器部４１に収容された粉粒体が収容領域４３ａに向かって効率的に供給されるので、粉粒体の定量供給をより確実に行うことができる。
【０１４５】
また、本実施形態によれば、回転部材４３が、すりきり体４２と接続部４４との間の隙間に形成されているので、回転部材４３の取り外しを比較的容易に行うことができる。また、回転部材４３を接続部４４に比較的容易に取り付けることができる。従って、回転部材４３の交換を容易に行うことができる。
【０１４６】
回転部材４３の取り外しを容易に行うことができるので、すりきり体４２の周辺の清掃を容易に行うことができる。従って、メンテナンス性の良好な供給部４０を提供することができる。
【０１４７】
また、本実施形態では、箱体５０の内部に向けて定量ごとの粉粒体の供給を行う際に、粉粒体の供給量が、回転部材４３に形成された収容領域４３ａの形状によって定まる。本実施形態では、所望の供給量に合わせて、適した供給量の収容領域４３ａを有する回転部材４３を選択することによって、所望の供給量による粉粒体の供給を行うことができる。
【０１４８】
本実施形態では、回転部材４３の交換を容易に行うことができるので、所望の供給量に応じた収容領域４３ａを有する回転部材４３への交換を容易に行うことができる。このように、排出口４４ａから落下する粉粒体の所望する量に応じて、回転部材４３を変えることが可能である。回転部材４３を変えることで粉粒体の供給量を変えることができるので、供給する粉粒体の量を容易に調節することができる。
【０１４９】
また、収容領域を変えることにより、粉粒体が箱体５０の内部へ供給された際の粉粒体の供給位置を調節することが可能である。排出口４４ａから落下する粉粒体の所望する落下位置に応じて、回転部材４３を変えることが可能である。回転部材４３を変えることで粉粒体が排出口４４ａから落下する落下位置を変えることができるので、供給する粉粒体の位置を容易に変えることができる。
【０１５０】
図１０（ａ）、（ｂ）は、粉粒体の供給位置を調節するために、収容領域の形状を変えた場合の、収容領域について示した斜視図である。図１０（ａ）には、同心円の形状に沿って粉粒体が箱体５０の内部に供給されるように、収容領域４７ａが同心円状に形成された回転部材４７についての平面図が示されている。
【０１５１】
図１０（ａ）に示されるように、収容領域４７ａが同心円状に形成されているので、排出口４４ａから排出されて箱体５０の内部に供給される粉粒体は、箱体５０の内部で同心円を描くように供給される。このように、箱体５０の内部に粉粒体によって所望の形状の模様を形成することができ、箱体５０の内部の見た目を楽しくすることができる。
【０１５２】
また、図１０（ｂ）に示されるように、収容領域を文字状に形成し、箱体５０の内部に供給される粉粒体を、文字の形状に沿って供給することができる。図１０（ｂ）には、文字の例として、例えば「勝」の形状に沿って収容領域４８ａが形成された場合の、回転部材４８についての平面図を示す。
【０１５３】
このように、文字の形状に沿って箱体５０の内部に粉粒体を供給することができるので、箱体５０の内部の見た目を楽しくすることができる。また、箱体５０の内部に、粉粒体によってメッセージを残すことが可能となる。これにより、例えば箱体５０が市場に流通した後に箱体５０を手に取った人に対し、メッセージを伝えることができる。
【０１５４】
なお、第２実施形態の粉粒体供給装置において、所望する粉粒体の供給量、供給位置に応じて、適した収容領域を有する回転部材の板部を使用する形態について説明したが、本発明はこれに限定されない。第１実施形態の粉粒体供給装置においても、所望する粉粒体の供給量、供給位置に応じて、適した収容領域を有する回転部材の板部を選択して使用してもよい。また、他の形態の粉粒体供給装置においても、所望する粉粒体の供給量、供給位置に応じて、適した収容領域を有する回転部材の板部を選択して使用してもよい。
【０１５５】
また、本実施形態では、回転部材４３の交換を容易に行うことができるので、供給量だけでなく、模様や文字といった供給される粉粒体の位置に応じて、所望の回転部材４３を取り付けることができる。従って、所望の供給量、形状に応じた回転部材４３の取り付けを容易に行うことができ、使い勝手のよい粉粒体供給装置を提供することができる。 
【符号の説明】
【０１５６】
３０  供給部
３２  らせん状部材
３２ｂ  すりきり部
３３  回転部材
３３ｂ  収容領域
３４  固定板
１００  粉粒体供給装置本体部
【図１】
2018184259.tif 000003
【図２】
2018184259.tif 000004
【図３】
2018184259.tif 000005
【図４】
2018184259.tif 000006
【図５】
2018184259.tif 000007
【図６】
2018184259.tif 000008
【図７】
2018184259.tif 000009
【図８】
2018184259.tif 000010
【図９】
2018184259.tif 000011
【図１０】
2018184259.tif 000012